(57)【要約】      （修正有）【課題】印刷機のフィーダにおいてノンストップ動作中でのパイル交換時間を短縮する方法を提供する。【解決手段】シート（７）を処理する機械のフィーダ（２）においてシートから形成されたパイルを交換する方法であって、パレット（９）に対する主パイル（８）の相対的な位置を、パレット（９）が静止しているまたは移動するときに、フィーダ外（６）に位置する、送り区間（１６）の第１の測定ポジション（２５）で特定する、またはパレット（９）が移動するときに、フィーダ内（５）に位置する、送り区間（１６）の第２の測定ポジション（２８）で特定し、駆動装置（２０）を制御して、フィーダ内の補助パイル（１１）の下方の位置（１０）へ主パイル（８）を移動させて、主パイルは、すでに上昇前に補助パイルに対してセンタリングされて配置されるようにすることを特徴とする。【選択図】図１
2020083658.tif 000002
【特許請求の範囲】
【請求項１】
シートを処理する機械のフィーダにおいてシートから形成されたパイルを交換する方法であって、
上昇させられた補助パイル（１１）からシート（７）を個別化して処理し、パレット（９）上に配置された主パイル（８）を、水平の送り区間（１６）に沿って前記フィーダ（２）内の前記補助パイルの下方の位置（１０）へ移動させ、前記主パイルを上昇させて、前記補助パイルとまとめて新しい主パイルを形成し、シートを、前記新しい主パイルから個別化して処理する方法において、
前記パレット（９）に対する前記主パイル（８）の相対的な位置を、前記パレット（９）が静止しているまたは移動するときに、フィーダ外（６）に位置する、前記送り区間（１６）の第１の測定ポジション（２５）で特定する、または前記パレット（９）が移動するときに、フィーダ内（５）に位置する、前記送り区間（１６）の第２の測定ポジション（２８）で特定し、前記主パイル（８）を、駆動装置（２０）を制御して、前記フィーダ内の前記補助パイル（１１）の下方の前記位置（１０）へ移動させて、前記主パイルは、すでに上昇前に前記補助パイルに対してセンタリングされて配置されるようにすることを特徴とする、方法。
【請求項２】
前記パレット（９）に対する前記主パイル（８）の相対的な位置の特定を、第１のセンサ（２６）を用いて前記第１の測定ポジション（２５）で行い、前記第１のセンサは、前記パレットの位置を特定することを特徴とする、請求項１記載の方法。
【請求項３】
前記パレット（９）に対する前記主パイル（８）の相対的な位置の特定を、第２のセンサ（２７）を用いて前記第１の測定ポジション（２５）で行い、前記第２のセンサは、前記主パイルの位置を特定することを特徴とする、請求項２記載の方法。
【請求項４】
前記主パイル（８）を、前記第１の測定ポジション（２５）から所定の距離Ｓ１だけ前記フィーダ（２）内の前記位置（１０）へ移動させ、その際：
Ｓ１＝（Ｍ１＋Ｄ１＋ＬＰ／２）＋（Ｍ２＋Ｄ２−（ＬＰ−ＬＳ）／２）
が成立することを特徴とする、請求項３記載の方法。
【請求項５】
前記パレット（９）に対する前記主パイル（８）の相対的な位置の特定を、第３のセンサ（２９）を用いて第２の測定ポジション（２８）で行い、前記第３のセンサは、前記主パイルの位置を特定することを特徴とする、請求項１記載の方法。
【請求項６】
前記主パイル（８）を、前記第２の測定ポジション（２８）から所定の距離Ｓ２だけ前記フィーダ（２）内の前記位置へ移動させ、その際：
Ｓ２＝（Ｍ３＋ＬＰ／２）＋（Ｍ３＋Ｄ２−（ＬＰ−ＬＳ）／２）
が成立することを特徴とする、請求項５記載の方法。
【請求項７】
前記主パイル（８）を前記補助パイルとまとめる前に、前記補助パイル（１１）をフォーク（４）上に配置し、前記主パイルを前記補助パイルとまとめるときに、前記フォークを前記新しい主パイルから退出させ、前記フォークを、次の補助パイルを形成するために、前記新しい主パイルの下へ進入させ、その際、前記フォークを事前に位置決めすることを特徴とする、請求項１から６までのいずれか１項記載の方法。
【請求項８】
事前に位置決めするために、第５のセンサ（２２）を用いて、前記パレット（９）の位置の新しい測定を行うことを特徴とする、請求項７記載の方法。
【発明の詳細な説明】
【技術分野】
【０００１】
本発明は、請求項１の特徴を有する、フィーダにおいてシートから形成されたパイルを交換する方法に関する。
【０００２】
技術分野および背景技術
本発明は、グラフィック産業の技術分野に関し、とりわけ、その中の特にいわゆるＡＮＳ動作（「自動ノンストップ」）のときの、フィーダへの被印刷物シートから成るパイルの供給の範囲およびフィーダにおけるパイル交換の範囲にある。
【０００３】
シートを処理する印刷機は、通常は、それぞれ昇降板を有する積重ね装置として構成されたシートフィーダとシートデリバリとを含む。昇降板上に、たとえば木材製のまたはプラスチック製のパレットがその都度位置決めされる。フィーダには、パレット上に、印刷されていないシートから成るパイルが存在し、デリバリには、印刷済みのシートのパイルが存在する。印刷機は、送り区間、たとえばローラ型送り装置を含んでよく、送り区間によって、パレットを機械へ向けてまたは機械から離反する方へ送ることが可能となる。フィーダでは、たとえば印刷されていないシートから成るパイルを含むパレットがフィーダへ向けて送られ、空のパレットがフィーダから離反する方へ送られる。デリバリでは、たとえば印刷済みのシートを含むパレットがデリバリから離反する方へ送られ、空のパレットがデリバリへ向けて送られる。
【０００４】
印刷機のフィーダでは、「ノンストップ」にパイル交換を行うことができる。そのために、いわゆるフォークが、減少する残パイル（または補助パイル）の下方で積重ねパレットの溝内へ移動させられる。残パイルは、そこでフォークによって支持される。これをもって、空のパレットが、降下させられて、フィーダから外へ移動させられる。新しい主パイルを含む新しいパレットが、フィーダ内へ移動させられ、停止される。新しいパイルは、横方向に、つまり機械の長手方向に対して横向きに、停止位置から残パイルへ向けて位置合わせされ（左右位置合わせ）、上方へ、残パイルの下に移動させられる。最終的に、フォークが、残パイルと新しい主パイルとがまとめられたパイルから引き抜かれる。この動作は、何度も繰り返すことができる。
【０００５】
西独国特許第１０９９５５６号明細書は、パイル貯蔵、フィーダへのパイル供給、ならびに主パイルおよび補助パイルの使用または主パイルおよび補助パイルの昇降を開示している。センサによる監視については、この文献には開示されていない。
【０００６】
さらに独国特許出願公開第３９２２８０３号明細書は、フィーダにおける、センサにより支援されたパイル交換を開示している。この文献では、センサが開示されており、センサは、フィーダ内に位置決めされていて、主パイルの左右位置合わせを支援する。
【０００７】
最後に、独国特許出願公開第１０２００６０４６５２６号明細書は、フィーダにおけるパイルとフィーダボード上の個別化されたシートとをセンサにより監視するパイル交換を開示している。
【０００８】
従来技術において、フィーダにおけるシートパイルの左右位置合わせのための修正運動によってパイル交換時間が延長されるという欠点が生じてしまうおそれがある。これによって、貴重な生産時間が浪費される。
【０００９】
課題
したがって本発明の課題は、特にパイル交換時間を短縮することを可能にする、従来技術に対して改善された技術的解決手段を提供することである。
【００１０】
本発明による解決手段
この課題は、本発明によれば、請求項１の特徴の組合わせを有する方法により解決される。有利であり、したがって好適な本発明の発展形態は、従属請求項、明細書および図面から明らかである。本発明、本発明の発展形態および本発明の実施の形態の特徴は、相互に組み合わせても本発明の他の有利な発展形態を成すものである。
【００１１】
本発明は、シートを処理する機械のフィーダにおいてシートから形成されたパイルを交換する方法であって、上昇させられた補助パイルからシートを個別化して処理し、パレット上に配置された主パイルを、水平の送り区間に沿ってフィーダ内の補助パイルの下方の位置へ移動させ、主パイルを上昇させて、補助パイルとまとめて新しい主パイルを形成し、シートを、新しい主パイルから個別化して処理する方法において、パレットに対して相対的な主パイルの位置を、パレットが静止しているまたは移動するときに、フィーダ外に位置する、送り区間の第１の測定ポジションで特定する、またはパレットが移動するときに、フィーダ内に位置する、送り区間の第２の測定ポジションで特定し、主パイルを、駆動装置を制御して、フィーダ内の補助パイルの下方の位置へ移動させて、主パイルが、すでに上昇前に補助パイルに対してセンタリングされて配置されるようにすることを特徴とする。
【００１２】
本発明によれば、フィーダ内で横方向にパイルを位置合わせするための付加的な修正移動を省くことができる。本発明によって、好適には、パイル交換時間を短縮するとともに貴重な生産時間を浪費しないことが可能である。
【００１３】
従来技術のように、フィーダにおいて、停止位置から外への付加的で時間のかかる修正移動を実行する代わりに、主パイルは、すでにフィーダ外で（静止状態でまたは移動中に）検出され、横方向の修正は、フィーダ内にまたはフィーダ内の停止位置に進入するときに実行される、または主パイルは、（移動中に）フィーダ内に進入するときに検出され、横方向の修正は、フィーダ内にまたはフィーダ内の停止位置に引き続き進入するときに実行される。
【００１４】
得られる利点は、２つの例の比較において明らかである。従来技術では、印刷機のフィーダにおけるパイル交換は、７０×１００の規格サイズにおいて、約１１０秒かかることがある。その際、つまり複数回のパイル交換および所定の印刷速度では、通常は、約９８００シート／ｈの生産性が生じる。本発明によれば、印刷機のフィーダにおけるパイル交換の時間は、７０×１００の規格サイズにおいて、約１００秒へと短縮することができる。しかもこの１０秒の節約は、複数回のパイル交換時に合計される。この場合、同一の条件で、約１０８００シート／ｈの向上した生産性が生じる。
【００１５】
発明の発展形態
本発明の好適な発展形態は、以下に記載の１つまたは複数の特徴の組合わせを特徴としている。
【００１６】
本発明の好適な一発展形態は、パレットに対して相対的な主パイルの位置の特定を、第１のセンサを用いて第１の測定ポジションで行い、第１のセンサは、パレットの位置を特定することを特徴とする。
【００１７】
本発明の好適な一発展形態は、パレットに対して相対的な主パイルの位置の特定を、第２のセンサを用いて第１の測定ポジションで行い、第２のセンサは、主パイルの位置を特定することを特徴とする。
【００１８】
本発明の好適な一発展形態は、主パイルを、（測定箇所から）所定の距離Ｓ１だけフィーダ内の位置へ移動させ、その際：Ｓ１＝（Ｍ１＋Ｄ１＋ＬＰ／２）＋（Ｍ２＋Ｄ２−（ＬＰ−ＬＳ）／２）が成立することを特徴とする。Ｓ１は、たとえばモータインクリメンタルの数で与えられてよい。
【００１９】
本発明の好適な一発展形態は、パレットに対して相対的な主パイルの位置の特定を、第３のセンサを用いて第２の測定ポジションで行い、第３のセンサは、主パイルの位置を特定することを特徴とする。
【００２０】
本発明の好適な一発展形態は、主パイルを、（測定箇所から）所定の距離Ｓ２だけフィーダ内の位置へ移動させ、その際：Ｓ２＝（Ｍ３＋ＬＰ／２）＋（Ｍ３＋Ｄ２−（ＬＰ−ＬＳ）／２）が成立することを特徴とする。Ｓ２は、たとえばモータインクリメンタルの数で与えられてよい。
【００２１】
本発明の好適な一発展形態は、補助パイルを、主パイルを補助パイルとまとめる前に、フォーク上に配置し、フォークを、主パイルを補助パイルとまとめるときに、新しい主パイルから退出させ、フォークを、次の補助パイルを形成するために、新しい主パイルの下へ進入させ、その際、フォークを事前に位置決めすることを特徴とする。
【００２２】
本発明の好適な一発展形態は、事前に位置決めするために、第５のセンサを用いて、パレットの位置の新しい測定を行うことを特徴とする。
【００２３】
図面および発明の例示的な実施の形態
以下、本発明およびその好適な発展形態を、図面、つまり図１および図２を参照して、好適な例示的な実施の形態につき詳説する。その際、相互に対応する特徴には同一の符号を付してある。
【図面の簡単な説明】
【００２４】
【図１】本発明に係る方法の好適な実施の形態を実行する際の、フィーダを有するシートを処理する機械を示す。
【図２】距離Ｓ１および距離Ｓ２の計算を分かりやすく説明するための概略図である。
【００２５】
図１は、本発明に係る方法の好適な実施の形態を実行する際の、処理されるべき被印刷物シート用のフィーダ２を有するシートを処理する機械１、特にオフセット印刷機またはインキ方式印刷機を示している。
【００２６】
フィーダ２は、鉛直にモータ式に可動で、ひいては位置決め可能な積み板３と、同様に鉛直に機械式に可動で、ひいては位置決め可能なフォーク４とを有する。フィーダ自体は、フィーダ内の領域５とフィーダ外の領域６とを規定している。
【００２７】
処理されるべき、特に印刷が行われるべきシート７は、パレット９上に配置された主パイル８（図１は順次処理されるべき２つの主パイルを示している）を形成する。フィーダ２内の領域５における主パイル８は、所定の水平位置１０、特に停止位置に位置し、その位置から、パイルは、昇降移動１３を行うことができる。
【００２８】
領域５における主パイル８の上方に、（フォーク４上に）いわゆる補助パイル１１が位置し、補助パイル１１からシート７が個別化され、次いで処理方向１２に機械を通って送られる、つまり処理される。
【００２９】
図１には、補助パイル１１の中央１４が示されている。中央１４は、機械の中央と一致してよい。ただし、特に薄い被印刷物を処理するときに、被印刷物シート（たとえばシートパイル）が、その規格サイズに基づいて、シート前縁でシート側縁を確実に把持しなければならないようにフィーダ２内に位置決めしなければならない場合には、中央１４は、機械の中央に対して横方向に変位されてもよい（キーワード：「偏心印刷」）。
【００３０】
本発明によれば、位置１０は、補助パイル１１の下方で、主パイル８がすでに上昇前に（つまり昇降移動１３の実行前に）補助パイルに対してセンタリングして配置されるように位置する。つまり、位置１０において、主パイル８の中央が補助パイル１１の中央と一致する。
【００３１】
パイル８の上昇およびパイル８の処理の後で、積み板３は、再び降下させられ、空のパレット１５がフィーダ２から外へ送り出される。
【００３２】
図１は、パレット９を（横方向の）送り方向１７に送るための水平の送り区間１６をさらに示している。送り区間は、送り装置１９の多数のローラ１８を含み、ローラ１８は、少なくとも１つの駆動装置２０によって駆動される。パレット９は、側方でフィーダ２内へ送るとともに、側方でフィーダから外へ送ることができる。いくつかのローラ１８が、積み板３に対応付けられていて（または積み板３上に配置されていて）、積み板３とともに鉛直に移動可能である。
【００３３】
従来技術では、領域５に測定ポジション２１が位置する。測定ポジション２１は、（第５の）センサ２２、または静止しているパレット９の（横方向１７の）位置を決定するためのストッパを含む。さらに、従来技術における測定ポジション２１は、パレット９とともに静止しているパイル８の（方向１７の）位置を特定するためのセンサ２３を含む。２つの位置から、パレット９上のパイル８の（方向１７の）位置を特定することができる。次いで、従来技術では、停止位置から、パイルとともにパレットの付加的な修正運動２４が実行され、これにより主パイル８がセンタリングされて補助パイル１１の下方に位置する。そのために、補助パイル１１の（方向１７の）位置が既知である、または特に特定／測定される。しかし、そのような修正運動は、所望されない生産時間を要する。したがって本発明は、以下に説明するように、異なる方法をとり、そのような修正運動を回避する。
【００３４】
本発明によれば、第１の測定ポジション２５は、フィーダ外の領域６に位置する。任意選択的に、第１の測定ポジション２５は、静止している（または通過した）パレット９の（横方向１７の）位置を特定するための第１の測定装置、特に第１のセンサ２６を含む。パレット９が所定の位置で始動するときには、この測定装置をたとえば省くことができる。
【００３５】
測定ポジション２５は、パレットとともに静止している（または通過した）パイル８の（方向１７の）位置を特定するための第２の測定装置２７、特に第２のセンサ２７を含む。２つの位置から、パレット９上のパイル８の（方向１７の）位置またはパレット９とパイル８との相対的な距離を特定することができる。好適には、パレット８およびパイル９の（方向１７に位置する）前縁の位置が特定される。代替的に、後縁の位置または特別なマーキングを検出してもよい。
【００３６】
本発明によれば、パレット位置およびパイル位置の特定は、フィーダ外で、つまり領域６において行われる。好適には、この特定は、送り区間１６において存在する休止位置で行われる。２つの位置を特定するための時間は、このようにして好適には、休止時間中に存在するので、貴重な生産時間が浪費されることがない。
【００３７】
本発明によれば、パレットに対して相対的な主パイルの位置または距離が特定され、主パイルは、所定の駆動装置、たとえば駆動装置２０を制御して、フィーダ内の補助パイルの下方の位置１０へ移動させられ、これにより主パイルは、すでに上昇前に補助パイルに対してセンタリングされて配置されている。
【００３８】
２つのセンサ２６および２７の代わりに、２つの位置（パレット８の位置およびパイル９の位置）を特定する共通の１つのセンサ２６または２７が設けられることも想定されてよい。
【００３９】
第１の測定ポジション２５に対して代替的に、第２の測定ポジション２８が、フィーダ２内の領域５に設けられてよい。この第２の測定ポジション２８は、パレット８とともに方向１７に移動したパイル９の（横方向１７の）位置を特定するための第３の測定装置２９、特に第３のセンサ２９を含む。さらにセンサ２９は、パレット８の位置を特定することができる。代替的に、２つの位置を特定するために２つのセンサを使用してよい。２つの位置から、代替例のように、パレット８上のパイル９の位置またはパイル９とパレット８との距離を特定することができる。この代替例でも、パレットに対して相対的な主パイルの位置が特定され、主パイルは、駆動装置を制御して、フィーダ内の補助パイルの下方の位置へ移動させられ、これにより主パイルは、上昇前にすでに補助パイルに対してセンタリングされて配置される。センサ２９が定位置であり、パレット／パイルが移動するので、この代替例における各々の位置特定は、好適には時間信号に基づいている（さらにこの場合パレットまたはパイルの送り速度が分かっていなければならない）。
【００４０】
機械１は、演算装置３３をさらに有し、演算装置３３は、接続部３４を介してセンサと駆動装置とに接続されていて、これにより駆動装置を制御するために演算装置を本発明に則して使用することができる。
【００４１】
測定箇所がフィーダ外に（たとえば休止位置に）位置するときに、パレットがパイルとともに位置１０へ移動する距離Ｓ１の計算は、好適には以下の式に従って行われる：
Ｓ１＝（Ｍ１＋Ｄ１＋ＬＰ／２）＋（Ｍ２＋Ｄ２−（ＬＰ−ＬＳ）／２）。
【００４２】
測定箇所がフィーダ内に位置するときに、相応して距離Ｓ２は、好適には以下の式に従って計算される：
Ｓ２＝（Ｍ３＋ＬＰ／２）＋（Ｍ３＋Ｄ２−（ＬＰ−ＬＳ）／２）。
【００４３】
図２は、距離Ｓ１および距離Ｓ２の計算を分かりやすくするための概略図を示している。パレットの送り方向に対して平行な軸上に、ゼロとして補助パイル１１の中央が、かつ測定ポジションＭ１〜Ｍ３が入力されている。さらに、パレットの長さＬＰおよびパイル（またはシート）の長さＬＳが図示されている。
【００４４】
Ｍ１〜Ｍ３は、センサの取付け場所に対応する。Ｄ１〜Ｄ２は、測定値（測定された距離）であってよい。ＬＰおよびＬＳは、既知であって、計算に提供される。
【００４５】
機械１は、任意選択的な測定装置３５、特に第４のセンサ３５を有してよい。この測定装置３５は、パレット９の（横方向１７の）位置またはフォークを導入するためのパレット９の溝の位置を特定するのに用いられる。さらに、機械１は、フォークを横方向１７に移動させるため、ひいては事前に位置決めするための駆動装置３６を有してよい。任意選択的な測定装置３５を用いて、パレット９の位置を特定することができ、これによりフォークが事前に位置決めされるとともに、フォークは、パレット上面における、フォーク用に設けられた溝に正確に進入する。
【符号の説明】
【００４６】
１  シートを処理する機械／印刷機
２  （シート）フィーダ
３  積み板
４  フォーク
５  フィーダ内の領域
６  フィーダ外の領域
７  シート
８  主パイル
９  （主パイル）パレット
１０  昇降移動前のフィーダ内の位置
１１  補助パイル
１２  処理方向
１３  昇降方向／昇降移動
１４  補助パイルの中央（場合によっては機械の中央）
１５  空のパレット
１６  （水平の）送り区間
１７  送り方向／送り移動
１８  ローラ
１９  （ローラ）送り装置
２０  駆動装置
２１  測定ポジション（従来技術）
２２  測定装置／第５のセンサ／静止しているパレット用のストッパ
２３  測定装置／静止しているパイル用のセンサ（従来技術）
２４  修正移動（従来技術）
２５  フィーダ外の第１の測定ポジション
２６  任意選択的な測定装置／第１のセンサ／静止しているパレット用のストッパ
２７  測定装置／静止しているパイル用の第２のセンサ
２８  フィーダ内の第２の測定ポジション
２９  測定装置／移動するパイル用の第３のセンサ
３０  主パイルの位置
３１  パレットに対する主パイルの距離
３２  シート規格サイズ
３３  演算装置
３４  接続部
３５  任意選択的な測定装置／パレット用の第４のセンサ
３６  フォーク用の駆動装置
Ｓ１  距離
Ｓ２  距離
Ｍ１  第１のセンサの取付け位置
Ｍ２  第２のセンサの取付け位置
Ｍ３  第３のセンサの取付け位置
Ｄ１  第１のセンサに対するパレットの距離（測定値）
Ｄ２  第２のセンサに対するパイルの距離（測定値）
ＬＰ  パレットの長さ
ＬＳ  パイルまたはシートの長さ
【図１】
2020083658.tif 000003
【図２】
2020083658.tif 000004
【外国語明細書】
2020083658.tif 000005
2020083658.tif 000006
2020083658.tif 000007
2020083658.tif 000008
2020083658.tif 000009
2020083658.tif 000010
2020083658.tif 000011
2020083658.tif 000012
2020083658.tif 000013
2020083658.tif 000014
2020083658.tif 000015
2020083658.tif 000016
2020083658.tif 000017
2020083658.tif 000018
2020083658.tif 000019
2020083658.tif 000020